(57)【要約】【課題】ユーザが好みに合わせて好適に装飾することが可能なデジタルフォトフレームを提供する。【解決手段】デジタルフォトフレームは、本体部と、装飾用のシートと、フロントパネルとを有する。本体部は、画像を表示するディスプレイを有する。シートは、ディスプレイの外縁に沿って本体部に載置される。フロントパネルは、本体部に取付けられ、本体部に取り付けられた状態で観察者がディスプレイ及びシートの少なくとも一部を視認可能に構成される。そして、シートは、本体部及びフロントパネルに対して着脱自在である。【選択図】図５
2014018579.tif 000002
【特許請求の範囲】
【請求項１】
画像を表示するディスプレイと、前記ディスプレイの外縁に沿って装飾用のシートが載置される載置部とを有する本体部と、
前記本体部に取付けられ、前記本体部に取り付けられた状態で観察者が前記ディスプレイ及び前記載置部に載置された装飾用のシートの少なくとも一部を視認可能なフロントパネルと、を備え、
前記フロントパネルは、前記本体部との間に装飾用のシートを着脱自在に保持することを特徴とするデジタルフォトフレーム。
【請求項２】
前記フロントパネルは、前記ディスプレイ及び前記載置部に載置された装飾用のシートの少なくとも一部を観察者が視認可能な位置に透過部材を有し、
前記透過部材と前記ディスプレイとの間には隙間が形成されることを特徴とする請求項１に記載のデジタルフォトフレーム。
【請求項３】
前記フロントパネルは、前記ディスプレイ及び前記載置部に載置された装飾用のシートの少なくとも一部を観察者が視認可能な位置に透過部材を有し、
前記透過部材と前記載置部に載置された装飾用のシートとの間には隙間が形成されることを特徴とする請求項１または２に記載のデジタルフォトフレーム。
【請求項４】
前記フロントパネルは、前記透過部材から前記ディスプレイの方向に向けて先細りとなるテーパー状となった側面部を有することを特徴とする請求項２または３に記載のデジタルフォトフレーム。
【請求項５】
前記本体部と前記フロントパネルとは、ネジにより固定され、
前記ネジの締め付け方向は、前記載置部に載置された装飾用のシートが前記載置部に載置された状態での当該シートの厚みの方向と同一方向であることを特徴とする請求項１乃至４のいずれか一項に記載のデジタルフォトフレーム。
【請求項６】
請求項１乃至５のいずれか一項に記載のデジタルフォトフレームと、前記装飾用のシートとを備えることを特徴とするデジタルフォトフレームセット。
【請求項７】
前記装飾用のシートには装飾品が取り付けられ、
前記透過部材と前記装飾用のシートとの間の幅は、前記装飾品を収容可能な幅に設定されることを特徴とする請求項６に記載のデジタルフォトフレームセット。
【請求項８】
前記装飾用のシートは、前記載置部と前記フロントパネルとにより外縁部分が狭持されることを特徴とする請求項６または７に記載のデジタルフォトフレームセット。
【請求項９】
前記装飾用のシートは、表面が印刷された紙であることを特徴とする請求項６乃至８のいずれか一項に記載のデジタルフォトフレームセット。
【発明の詳細な説明】
【技術分野】
【０００１】
本発明は、画像を表示可能なディスプレイを有するデジタルフォトフレームに関する。
【背景技術】
【０００２】
従来から、デジタルカメラ等で撮像した画像データを表示する電子写真立て（デジタルフォトフレーム）が知られている。例えば、特許文献１には、カードリーダ部、表示部、制御・処理回路等を備え、カードリーダ部に挿入されたメモリーカード内の複数の画像データに基づき、スライドショー表示を行うデジタルフォトフレームが開示されている。また、フロントパネルをユーザの好みの色のフロントパネルに交換可能なデジタルフォトフレーム（製品番号：ＤＰＦ−Ｅ７１０）が製品化されている。さらに、着脱可能なフロントパネルを備え、当該フロントパネルを装着した状態と、当該フロントパネルを外した状態とで異なる外観を有するデジタルフォトフレーム（製品番号：ＤＰ−Ｓ７Ｖ）が製品化されている。
【先行技術文献】
【特許文献】
【０００３】
【特許文献１】特開２００１−１６５３６号公報
【発明の概要】
【発明が解決しようとする課題】
【０００４】
フロントパネルやフレームごと交換することでデジタルフォトフレームの外観を変化させる場合、交換用のフロントパネルやフレームの大きさや価格の制限上、バリエーションに限りがある。一方、デジタルフォトフレームをユーザがカスタマイズできる自由度を高くし、ユーザが自分の好みに合わせてデジタルフォトフレームを装飾することができると便宜である。
【０００５】
本発明は、上記のような課題を解決するためになされたものであり、ユーザが好みに合わせて好適に装飾することが可能なデジタルフォトフレームを提供することを主な目的とする。
【課題を解決するための手段】
【０００６】
請求項１に記載の発明では、デジタルフォトフレームは、画像を表示するディスプレイと、前記ディスプレイの外縁に沿って装飾用のシートが載置される載置部とを有する本体部と、前記本体部に取付けられ、前記本体部に取り付けられた状態で観察者が前記ディスプレイ及び前記載置部に載置された装飾用のシートの少なくとも一部を視認可能なフロントパネルと、を備え、前記フロントパネルは、前記本体部との間に装飾用のシートを着脱自在に保持することを特徴とする。
ことを特徴とする。
【図面の簡単な説明】
【０００７】
【図１】本実施例に係るデジタルフォトフレームの正面図を示す。
【図２】本実施例に係るデジタルフォトフレームの分解斜視図を示す。
【図３】フロントパネルの裏面を俯瞰した図である。
【図４】本体部に対してフロントパネルが取り外された状態のデジタルフォトフレームの断面図を示す。
【図５】本体部に対してフロントパネルが取り付けられた状態のデジタルフォトフレームの断面図を示す。
【図６】内縁部分に曲線形状を有するシートを使用したデジタルフォトフレームの正面図を示す。
【発明を実施するための形態】
【０００８】
本発明の１つの好適な実施形態では、デジタルフォトフレームは、画像を表示するディスプレイと、前記ディスプレイの外縁に沿って装飾用のシートが載置される載置部とを有する本体部と、前記本体部に取付けられ、前記本体部に取り付けられた状態で観察者が前記ディスプレイ及び前記載置部に載置された装飾用のシートの少なくとも一部を視認可能なフロントパネルと、を備え、前記フロントパネルは、前記本体部との間に装飾用のシートを着脱自在に保持する。
【０００９】
上記デジタルフォトフレームは、本体部と、フロントパネルとを有する。本体部は、画像を表示するディスプレイと、前記ディスプレイの外縁に沿って装飾用のシートが載置される載置部とを有する。フロントパネルは、本体部に取付けられ、本体部に取り付けられた状態で観察者がディスプレイ及び載置部に載置された装飾用のシートの少なくとも一部を視認可能に構成される。そして、フロントパネルは、本体部との間に装飾用のシートを着脱自在に保持する。この構成により、ユーザは、デジタルフォトフレームの置き場所やそのときのユーザの気分等に応じて任意のシートをデジタルフォトフレームに装着させることができ、デジタルフォトフレームの鑑賞をより楽しむことができる。
【００１０】
上記デジタルフォトフレームの一態様では、前記フロントパネルは、前記ディスプレイ及び前記載置部に載置された装飾用のシートの少なくとも一部を観察者が視認可能な位置に透過部材を有し、前記透過部材と前記ディスプレイとの間には隙間が形成される。透過部材とディスプレイとの間に隙間が形成されることで、デジタルフォトフレームは、平面状のデジタル画像をよりリアルに映し出すように立体構造を有し、奥行き感を観察者に感じさせることができる。
【００１１】
上記デジタルフォトフレームの他の一態様では、前記フロントパネルは、前記ディスプレイ及び前記載置部に載置された装飾用のシートの少なくとも一部を観察者が視認可能な位置に透過部材を有し、前記透過部材と前記載置部に載置された装飾用のシートとの間には隙間が形成される。このようにすることで、ユーザは、フロントパネルと載置部に載置された装飾用のシートとの間に任意の装飾品を置いて飾ることができる。
【００１２】
上記デジタルフォトフレームの他の一態様では、前記フロントパネルは、前記透過部材から前記ディスプレイの方向に向けて先細りとなるテーパー状となった側面部を有する。この態様により、デジタルフォトフレームの厚みを観察者に感じさせるのを好適に防ぐことができる。
【００１３】
上記デジタルフォトフレームの他の一態様では、前記本体部と前記フロントパネルとは、ネジにより固定され、前記ネジの締め付け方向は、前記載置部に載置された装飾用のシートが前記載置部に載置された状態での当該シートの厚みの方向と同一方向である。この態様により、ユーザは、ネジの取り外しにより、容易に載置部に載置された装飾用のシートを交換することができる。また、種々の厚みを有する載置部に載置された装飾用のシートを、好適にデジタルフォトフレームに装着させることができる。
【００１４】
本発明の他の好適な実施形態では、デジタルフォトフレームセットは、上記いずれか記載のデジタルフォトフレームと、前記装飾用のシートとを備える。
【００１５】
上記デジタルフォトフレームセットの一態様では、前記装飾用のシートには装飾品が取り付けられ、前記透過部材と前記装飾用のシートとの間の幅は、前記装飾品を収容可能な幅に設定される。この態様により、デジタルフォトフレームセットは、ユーザが装飾用のシートに取り付けた装飾品を好適に保持することができる。
【００１６】
上記デジタルフォトフレームセットの他の一態様では、前記装飾用のシートは、前記載置部と前記フロントパネルとにより外縁部分が狭持される。この態様により、デジタルフォトフレームは、種々の厚さを有する装飾用のシートを好適に保持し、その位置ずれを抑制することができる。また、デジタルフォトフレームは、装飾用のシートの内縁部分の形状の構造上の制約をなくすことができる。従って、ユーザは、装飾用のシートの内縁部分を任意に加工し、それに応じてディスプレイの可視範囲を変化させることができる。
【００１７】
上記デジタルフォトフレームの他の一態様では、前記装飾用のシートは、表面が印刷された紙である。この態様により、ユーザは、容易かつ安価に所望のパターンを表す装飾用のシートを入手することができる。従って、この態様により、ユーザの装飾のバリエーションを容易に増やすことができる。
【実施例】
【００１８】
以下、図面を参照して本発明の好適な実施例について説明する。
【００１９】
［概略構成］
まず、本実施例に係るデジタルフォトフレーム（単に「ＤＰＦ」とも呼ぶ。）の概略構成について、図１及び図２を参照して説明する。
【００２０】
図１は、本実施例に係るＤＰＦ１００の正面図を示す。また、図２は、ＤＰＦ１００の分解斜視図を示す。図２に示すように、ＤＰＦ１００は、本体部１と、本体部１に対して着脱可能なシート２と、ネジ６Ｒ、６Ｌにより本体部１に対して固定されるフロントパネル３とを備える。以後では、本体部１のディスプレイ１１の長手方向をＸ軸、ディスプレイ１１の短手方向をＺ軸、Ｘ軸及びＺ軸と垂直な軸をＹ軸とし、各軸の正方向を図１、図２に示す方向とする。また、以後では、適宜、Ｘ軸正方向を右方向、Ｘ軸負方向を左方向、Ｚ軸正方向を上方向、Ｚ軸負方向を下方向とも呼ぶ。
【００２１】
本体部１は、画像を表示するディスプレイ１１と、ディスプレイ１１を保持する筐体部１２とを備える。また、筐体部１２内には、後述する図４に示す基板１５が設けられる。基板１５は、ディスプレイ１１に表示させる画像データや図示しないスピーカに出力させる音声データなどを記憶するメモリや、ディスプレイ１１などの出力制御を行うＣＰＵなどを有する。また、筐体部１２には、画像データや音楽データを記憶する外部記憶媒体を挿入可能なインターフェース（図示しない）などが設けられ、基板１５は、当該インターフェースを介して外部記憶媒体から画像データの読み取りなどを行う。
【００２２】
また、Ｙ軸負方向に向けて観察した場合の筐体部１２の正面には、ディスプレイ１１と略同一面上の内側面１２０と、内側面１２０から段差が設けられた縁の表面である外側面１２１とを有する。そして、外側面１２１には、それぞれ、ネジ６Ｌ、６Ｒが挿通されるネジ穴１４Ｌ、１４Ｒが設けられている。ここで、内側面１２０と外側面１２１とはＹ軸方向に段差が設けられているため、フロントパネル３と内側面１２０との間に隙間（オフセット）が設けられる。このオフセット構造については、[構造の詳細]のセクションで詳しく説明する。
【００２３】
シート２は、任意のパターンが印刷された装飾用のシートであり、本体部１とフロントパネル３とにより挟持される。シート２は、本体部１及びフロントパネル３と共に予め作成された定型のシートの他、例えば所定の寸法の写真用紙などに任意のパターンをユーザが印刷し、印刷した用紙に対してディスプレイ１１と重なる部分を切り抜いたものであってもよい。この場合、ユーザは、例えば所定のＷＥＢサイトから所望のパターンを表したＰＤＦファイルなどをダウンロードして印刷することで、上述の印刷した用紙を取得してもよい。そして、シート２は、本体部１とフロントパネル３とにより挟持された状態において、本体部１の内側面１２０と重なる位置に固定される。このように、本体部１の内側面１２０は、本発明における「載置部」の一例である。なお、シート２の一部は、ディスプレイ１１と重なってもよい。シート２の形状については、［構造の詳細］のセクションで詳しく説明する。
【００２４】
また、シート２には、複数の立体形状を有するアクセサリー（装飾品）５が取り付けられている。アクセサリー５は、例えば両面テープや接着剤などによりシート２に固定される。アクセサリー５は、本体部１にシート２が載置された状態で、外側面１２１よりもフロントパネル３側に突出しない高さを有する。
【００２５】
フロントパネル３は、本体部１を嵌め込む枠部３１と、透明板３２とを有する。図１に示すように、透明板３２は、本体部１にフロントパネル３が装着された状態で、ディスプレイ１１と、狭持される外縁部分を除いたシート２とを観察者が視認可能な位置に設けられている。透明板３２は、例えばアクリル板である。なお、図２では、説明の便宜上、透明板３２にハッチングを付している。透明板３２は、本発明における「透過部材」の一例である。
【００２６】
ここで、フロントパネル３の構造について、図３を参照してさらに詳しく説明する。
【００２７】
図３は、フロントパネル３の裏面を俯瞰した図である。図３に示すように、フロントパネル３の枠部３１には、枠部３１の４つの側面を形成する側面部３１１と、透明板３２の縁の四辺に沿って突出した高さが均一の突起部３１２と、ネジ穴３１０Ｌ、３１０Ｒとが設けられている。
【００２８】
側面部３１１には、本体部１の筺体部１２が嵌め込まれる。そして、側面部３１１は、ＤＰＦ１００の外形を構成する。具体的には、側面部３１１の上面部３１１Ｕは、ＤＰＦ１００の上面を形成し、側面部３１１の下面部３１１Ｄは、ＤＰＦ１００の底面を形成する。同様に、側面部３１１の右面部３１１Ｒは、ＤＰＦ１００の右側面を形成し、側面部３１１の左面部３１１Ｌは、ＤＰＦ１００の左側面を形成する。ここで、側面部３１１は、いずれもＹ軸負方向に向かって先細りとなるテーパー構造を有する。これについては、［構造の詳細］のセクションで詳しく説明する。
【００２９】
突起部３１２は、本体部１にフロントパネル３が装着された状態で、シート２を本体部１の内側面１２０に押圧することで、内側面１２０と共にシート２を狭持する。ここで、透明板３２の垂直方向における突起部３１２の長さは、内側面１２０と外側面１２１との段差の幅に基づき、突起部３１２がシート２を本体部１の内側面１２０に押圧することが可能な長さに定められる。このように、突起部３１２と内側面１２０とによりシート２を狭持することで、ＤＰＦ１００は、シート２となる部材の厚さや材質によらずシート２の位置ずれを好適に抑制することができる。
【００３０】
ネジ穴３１０Ｌには、本体部１のネジ穴１４Ｌに挿通されたネジ６Ｌが螺合される。同様に、ネジ穴３１０Ｒには、本体部１のネジ穴１４Ｒに挿通されたネジ６Ｒが螺合される。ここで、ネジ６Ｌ、６Ｒの締め付け方向は、図２に示すように、シート２が狭持される方向、即ちシート２の厚さ方向と同一方向となる。これにより、種々の厚みを有するシート２を、好適にＤＰＦ１００に装着させることができる。
【００３１】
なお、本体部１及びフロントパネル３は、本発明における「デジタルフォトフレーム」の一例であり、本体部１、シート２及びフロントパネル３は、本発明における「デジタルフォトフレームセット」の一例である。
【００３２】
［構造の詳細］
次に、ＤＰＦ１００の詳細構造について、図４、５を参照して説明する。
【００３３】
図４、５は、図１に示すＡＡ切断面でのＤＰＦ１００の断面図を示す。ここで、図４は、本体部１に対してフロントパネル３が取り外された状態のＤＰＦ１００のＡＡ切断面での断面図を示し、図５は、本体部１に対してフロントパネル３が装着された状態のＤＰＦ１００のＡＡ切断面でのＤＰＦ１００の断面図を示す。なお、図４、５には、ＤＰＦ１００を所定の姿勢で支持することが可能なスタンド１６が図示されている。
【００３４】
（１）テーパー構造
まず、フロントパネル３の側面部３１１のテーパー構造について説明する。図４及び図５において示される側面部３１１の上面部３１１Ｕ及び下面部３１１Ｄは、それぞれＹ軸負方向に向かってテーパー状に延出している。具体的には、側面部３１１の上面部３１１Ｕは、透明板３２と垂直な線７０よりも、フロントパネル３の内側に傾いている。また、側面部３１１の下面部３１１Ｄは、透明板３２と垂直な線７１よりも、フロントパネル３の内側に傾いている。同様に、図４及び図５にて図示されていない側面部３１１の右面部３１１Ｒ及び左面部３１１Ｌについても、透明板３２と垂直な方向よりも、フロントパネル３の内側に傾いている。
【００３５】
このように、側面部３１１がＹ軸負方向に向けてテーパー状に形成されることで、ＤＰＦ１００を観察者が正面から観察した場合に、側面部３１１が視認されない。従って、上述のテーパー構造により、Ｙ軸方向におけるＤＰＦ１００の厚さを観察者に感じさせるのを抑制することができる。
【００３６】
（２）オフセット構造
次に、本体部１とフロントパネル３との間に設けられたオフセット構造について説明する。
【００３７】
図５に示すように、本体部１の内側面１２０と、フロントパネル３の透明板３２とは、矢印６１が示す幅だけ隙間（クリアランス）が形成されている。上述の幅は、シート２に接着させることが想定される種々のアクセサリーの高さを勘案して設定され、例えば７ｍｍに設定される。そして、図５では、シート２及びシート２に接着したアクセサリー５が上述の隙間内に収容されている。
【００３８】
このように、内側面１２０と透明板３２との間に所定幅の隙間を設けることで、種々のシート２及びアクセサリー５を好適にＤＰＦ１００内に視認可能な状態で載置することができる。
【００３９】
また、内側面１２０と透明板３２との間に隙間を形成した結果、ディスプレイ１１とフロントパネル３の透明板３２との間にも所定幅の隙間が形成される。これにより、ＤＰＦ１００は、奥行き感を持たせた状態でディスプレイ１１の表示を立体的に観察者に視認させることができる。例えば、ＤＰＦ１００は、ディスプレイ１１に１枚の絵画の画像を表示した状態で、所定の十分な間隔（例えば２４時間）ごとに、表示する画像を切り替える。これにより、ＤＰＦ１００は、実際に額縁に飾ってある絵画を視認している場合と同様の臨場感を観察者に与えることができる。
【００４０】
（３）シート形状
図５に示すように、突起部３１２は、シート２の外縁部分に沿って形成され、シート２を内側面１２０に対して押圧することでシート２を固定している。従って、シート２の内縁部分の形状は、構造上制約されず、ハート型や楕円型などの種々の形状を有してもよい。これについて、図６を参照して説明する。
【００４１】
図６は、シート２とは異なる内縁部分の形状を有するシート２Ａを使用したＤＰＦ１００の正面図を示す。図６では、ディスプレイ１１の外形を破線により示している。図６に示すように、シート２Ａの内縁部２０Ａは、ディスプレイ１１と重なる位置に設けられ、かつ、曲線形状を有している。この場合、図６に示すディスプレイ１１の可視範囲は、シート２Ａとディスプレイ１１との重なる領域に応じて定まる。
【００４２】
このように、シート２を外縁部分で固定することにより、シート２の内縁部分の形状に関する制約を設ける必要がなくなるため、シート２の内縁部分を種々の形状にすることができる。従って、ユーザは、任意の内縁部分の形状を有するシート２を選択してＤＰＦ１００に装着させることができ、かつ、ディスプレイ１１の可視範囲をユーザの好みに合わせて決定することができる。
【００４３】
上記説明したように、ＤＰＦ１００は、本体部１と、装飾用のシート２と、フロントパネル３とを有する。本体部１は、画像を表示するディスプレイ１１を有する。シート２は、ディスプレイ１１の外縁に沿って本体部１に載置される。フロントパネル３は、本体部１に取り付けられた状態で観察者がディスプレイ１１及びシート２の少なくとも一部を視認可能に構成される。そして、シート２は、本体部１及びフロントパネル３に対して着脱自在である。この構成により、ユーザは、ＤＰＦ１００の置き場所やそのときのユーザの気分等に応じて任意のシート２をＤＰＦ１００に装着させることができ、ＤＰＦ１００の鑑賞をより楽しむことができる。
【符号の説明】
【００４４】
１  本体部
２、２Ａ  シート
３  フロントパネル
５  アクセサリー
６Ｒ、６Ｌ  ネジ
１１  ディスプレイ
１００  ＤＰＦ
【図１】
2014018579.tif 000003
【図２】
2014018579.tif 000004
【図３】
2014018579.tif 000005
【図４】
2014018579.tif 000006
【図５】
2014018579.tif 000007
【図６】
2014018579.tif 000008